(57)【要約】【課題】屋外の多様な箇所に持ち運ぶことができ、その箇所で大量の水を長時間に亘って濾過することのできる積層型濾過装置を提供する。【解決手段】積層型濾過装置は、給水路１２を有する上板１と、上板１の下方に配置される底部ユニット２と、上板１と底部ユニット２の間に配置される少なくとも一つの中間ユニット３を具備する。底部ユニット２は、排水路２１２を有する底板２１と、底板２１の上方に配置される底部フィルタ２２を含む。中間ユニット３は、給水路３１２、排水路３１３および突起体３１４を有する中間板３１と、中間板３１の上方に配置される中間フィルタ３２を含む。中間フィルタ３２の中央部分が、突起体３１４に支持される。【選択図】図６
2017113695.tif 000002
【特許請求の範囲】
【請求項１】
給水路を有する上板と、
前記上板の下方に配置される底部ユニットと、
前記上板と前記底部ユニットの間に配置される少なくとも一つの中間ユニットと、を具備し、
前記底部ユニットは、
排水路を有する底板と、
前記底板の上方に配置される底部フィルタとを含み、
前記少なくとも一つの中間ユニットは、
給水路、排水路および突起体を有する中間板と、
前記中間板の上方に配置される中間フィルタとを含み、
前記中間フィルタの中央部分が、前記突起体に支持される
ことを特徴とする積層型濾過装置。
【請求項２】
前記突起体は、
前記中間板の中央部に設けられた中央突起部と、
前記中央突起部から放射状に延びる複数の延長突起部とを含み、
前記中央突起部と前記複数の延長突起部が、前記中間フィルタに当接する
ことを特徴とする請求項１に記載の積層型濾過装置。
【請求項３】
前記複数の延長突起部は、
その一部分に、他の部分よりも下方に凹んだ段部を有する
ことを特徴とする請求項２に記載の積層型濾過装置。
【請求項４】
前記底板が、底部突起体をさらに有し、
前記底部フィルタの中央部分が、前記底部突起体に支持される
ことを特徴とする請求項１〜３のいずれか一項に記載の積層型濾過装置。
【請求項５】
前記上板、前記底板および前記中間板は、透明または半透明である
ことを特徴とする請求項１〜４のいずれか一項に記載の積層型濾過装置。
【発明の詳細な説明】
【技術分野】
【０００１】
本発明は、積層型濾過装置に関し、詳しくは、河川等の水中から微粒子を採取することのできる積層型濾過装置に関する。
【背景技術】
【０００２】
河川、海等の水中に含まれる放射性物質等の微粒子の量を測定するためには、長時間をかけて大量の水を濾過することのできる濾過装置が求められる。
【０００３】
特許文献１には、被処理水から放射性物質を採取することのできる装置が、記載されている。この装置では、圧力を高めた被処理水を膜濾過部に導入し、膜濾過部を通じて放射性物質を採取する。
【先行技術文献】
【特許文献】
【０００４】
【特許文献１】特開２０１３−７６３４号公報
【発明の概要】
【発明が解決しようとする課題】
【０００５】
上記した従来の装置は、施設等に設置される大型の装置である。そのため、屋外の多様な箇所に持ち込んで放射性物質等の微粒子を採取するには、不向きである。
【０００６】
本発明は、屋外の多様な箇所に持ち運ぶことができ、その箇所で大量の水を長時間に亘って濾過することのできる積層型濾過装置を提供することを、目的とする。
【課題を解決するための手段】
【０００７】
本発明に係る形態の積層型濾過装置は、給水路を有する上板と、前記上板の下方に配置される底部ユニットと、前記上板と前記底部ユニットの間に配置される少なくとも一つの中間ユニットとを具備する。
【０００８】
前記底部ユニットは、排水路を有する底板と、前記底板の上方に配置される底部フィルタとを含む。
【０００９】
前記少なくとも一つの中間ユニットは、給水路、排水路および突起体を有する中間板と、前記中間板の上方に配置される中間フィルタとを含む。
【００１０】
前記中間フィルタの中央部分が、前記突起体に支持される。
【発明の効果】
【００１１】
本発明の積層型濾過装置は、屋外の多様な箇所に持ち運ぶことができ、その箇所で大量の水を長時間に亘って濾過することができるという効果を奏する。
【図面の簡単な説明】
【００１２】
【図１】一実施形態の積層型濾過装置を示す斜視図である。
【図２】図１のＡ−Ａ線で切断された一実施形態の積層型濾過装置を示す斜視図である。
【図３】図１のＢ−Ｂ線で切断された一実施形態の積層型濾過装置を示す斜視図である。
【図４】図３の要部拡大図である。
【図５】図１のＣ−Ｃ線で切断された一実施形態の積層型濾過装置を示す斜視図である。
【図６】一実施形態の積層型濾過装置を分解して示す斜視図である。
【図７】一実施形態の積層型濾過装置の底部ユニットを分解して示す斜視図である。
【図８】一実施形態の積層型濾過装置の変形例を示す斜視図である。
【発明を実施するための形態】
【００１３】
図１〜図７には、一実施形態の積層型濾過装置を示している。
【００１４】
本実施形態の積層型濾過装置は、上板１と、上板１と平行に位置する板状の底部ユニット２と、上板１と底部ユニット２の間に配置される複数の板状の中間ユニット３と、を具備する。中間ユニット３は、上板１と底部ユニット２の間に少なくとも一つ配置されていればよく、本実施形態では二つの中間ユニット３が配置されている。
【００１５】
上板１と底部ユニット２と各中間ユニット３は、互いに平行である。本文中で用いる平行の文言は、略平行な場合を含む。
【００１６】
本文中で用いる上下方向は、上板１と底部ユニット２の相対的な位置関係を基準とし、上板１に対して底部ユニット２が位置する方向を下方向、底部ユニット２に対して上板１が位置する方向を上方向として定めているが、必ずしも実際の上下方向を意味しない。
【００１７】
まず、上板１の構造について説明する。
【００１８】
上板１は、上下方向を厚み方向とした板状の樹脂成形品である。上板１の下面（中間ユニット３に対向する面）の中央部分には、凹部１１が形成されている。
【００１９】
上板１には、給水路１２が形成されている。
【００２０】
給水路１２は、上板１の周縁部分をその厚み方向（上下方向）に貫通する第一給水路１２１と、第一給水路１２１の途中から分岐し、上板１の中心方向にむけて延びる第二給水路１２２とを含む（図３参照）。
【００２１】
第一給水路１２１の上流端は、上板１の周縁部分の上面に開口する。第一給水路１２１の下流端は、上板１の周縁部分の下面に開口する。第二給水路１２２の下流端は、上板１の凹部１１に開口する。
【００２２】
第一給水路１２１の上流端には、給水金具１８が接続される。給水金具１８は、上板１の上面から上方に突出し、この突出部分に図示略の給水ホースが接続される。上板１には、さらに空気弁１９が装着されている。空気弁１９は、給水金具１８と隣接する位置で、上板１の上面から上方に突出する。
【００２３】
上板１の周縁部分には、複数（四つ）の接続孔１３がさらに形成されている（図６参照）。複数の接続孔１３は、それぞれ上板１を厚み方向に貫通する。
【００２４】
上板１の下面には、散水板１５が装着される。散水板１５の上面には、多数の突起１５１が形成されている。
【００２５】
上板１の凹部１１の周壁には、散水板１５を装着するための溝１１５が形成されている（図４参照）。溝１１５に散水板１５の周縁部が係止することで、上板１に対して散水板１５が装着される。
【００２６】
散水板１５は、上板１に装着された状態で、上板１と平行な姿勢で凹部１１内に位置する。第二給水路１２２の下流端は、散水板１５の上面に向けて開口する。
【００２７】
次に、底部ユニット２について説明する。
【００２８】
底部ユニット２は、底板２１と、底板２１の上方に配置される底部フィルタ２２とを含む（図６、図７参照）。
【００２９】
底板２１は、上下方向を厚み方向とした板状の樹脂成形品である。底板２１の上面（中間ユニット３に対向する面）の中央部分には、凹部２１１が形成されている。凹部２１１は、中央部分２１１１と、これよりも一段高く形成された周縁部分２１１２とを含む。
【００３０】
中央部分２１１１は、平面視（即ち上方から視たときに）円形状の底面を有し、該底面から十字状の底部突起体２１４が突出する。周縁部分２１１２は、中央部分２１１１の底面を囲んで位置する平面視リング状の底面を有する。周縁部分２１１２の底面の高さは、底部突起体２１４の高さと同一である。本文中で用いる同一の文言は、略同一な場合を含む。
【００３１】
底板２１には、排水路２１２が形成されている（図５参照）。
【００３２】
排水路２１２は、底板２１の周縁部分に貫通形成された第一排水路２１２１と、第一排水路２１２１の途中から分岐し、底板２１の中心方向にむけて延びる第二排水路２１２２とを含む。
【００３３】
第一排水路２１２１の上流端は、底板２１の周縁部分の上面に開口する。第一排水路２１２１の上流端には、Ｏリング２７が嵌め込まれる。第一排水路２１２１の下流端は、底板２１の外側面に開口する。第二排水路２１２２の上流端は、底板２１の凹部２１１に開口する。
【００３４】
第一排水路２１２１の下流端には、排水金具２８が接続される。排水金具２８は、底板２１の外側面から側方に突出し、この突出部分に図示略の排水ホースが接続される。
【００３５】
底板２１の周縁部分には、複数（四つ）の接続孔２１３がさらに形成されている（図７参照）。複数の接続孔２１３は、それぞれ底板２１を厚み方向に貫通する。
【００３６】
底部フィルタ２２は、放射性物質等の微粒子を採取可能な濾紙からなるフィルタ２２１と、フィルタ２２１を保持する保持部材２２２とを含む。保持部材２２２は、多数の通水孔を有する円板状の部材である。薄膜状であるフィルタ２２１は、保持部材２２２の上面に支持される。
【００３７】
底部フィルタ２２は、底板２１の凹部２１１内に配置される。保持部材２２２の周縁部は、凹部２１１の周縁部分２１１２に載置され、周縁部分２１１２によって下方から支持される。保持部材２２２の中央部分は、底部突起体２１４に載置され、底部突起体２１４によって下方から支持される。
【００３８】
平面視十字状である底部突起体２１４は、凹部２１１の中央部分に設けられた中央突起部２１４１と、中央突起部２１４１から延びる四つの延長突起部２１４２を含む。
【００３９】
四つの延長突起部２１４２は、平面視において、周方向に等間隔を隔てて放射状に延びる。中央突起部２１４１と四つの延長突起部２１４２の各々が、底部フィルタ２２の保持部材２２２に当接し、保持部材２２２を下方から支持する。
【００４０】
延長突起部２１４２は、その一部分に、下方に凹んだ段部２１４３を有する。段部２１４３は、延長突起部２１４２の他の部分よりも低く（中央部分２１１１の底面に近く）、且つ、中央部分２１１１の底面よりも高く位置する。
【００４１】
延長突起部２１４２の段部２１４３を除いた他の部分は、中央突起部２１４１と同一の高さを有する。そのため、十字状の底部突起体２１４では、中央突起部２１４１と、各延長突起部２１４２のうち段部２１４３を除く部分が保持部材２２２に当接し、保持部材２２２を下方から支持する。各延長突起部２１４２の段部２１４３は、保持部材２２２との間にスペースを開けて位置する。このスペースが通水孔として機能する。
【００４２】
本実施形態では延長突起部２１４２が四つであるが、延長突起部２１４２は複数であればよい。また、本実施形態では各延長突起部２１４２に段部２１４３が一つ形成されているが、段部２１４３が複数形成されてもよい。
【００４３】
次に、中間ユニット３について説明する。
【００４４】
本実施形態では二つの中間ユニット３を備えているが、二つの中間ユニット３は互いに同一の構成を有するので、ここでは中間ユニット３の構成を一括的に説明する。
【００４５】
中間ユニット３は、中間板３１と、中間板３１の上方に配置される中間フィルタ３２とを含む（図６参照）。
【００４６】
中間板３１は、上下方向を厚み方向とした板状の樹脂成形品である。中間板３１の上面の中央部分には、凹部３１１が形成されている。凹部３１１は、底部ユニット２が備える底板２１の凹部２１１と同様の構成を備える。
【００４７】
つまり、凹部３１１は、中央部分３１１１と、これよりも一段高く形成された周縁部分３１１２とを含む。中央部分３１１１は、平面視円形状の底面を有し、該底面から十字状の突起体３１４が突出する。周縁部分３１１２は、中央部分３１１１の底面を囲んで位置する平面視リング状の底面を有する。周縁部分３１１２の底面の高さは、突起体３１４の高さと同一である。
【００４８】
中間板３１には、給水路３１２と排水路３１３が形成されている。
【００４９】
給水路３１２は、上板１の給水路１２と同様に、中間板３１の周縁部分をその厚み方向（上下方向）に貫通する第一給水路３１２１と、第一給水路３１２１の途中から分岐し、中間板３１の中心方向にむけて延びる第二給水路３１２２とを含む（図３参照）。
【００５０】
第一給水路３１２１の上流端は、中間板３１の周縁部分の上面に開口する。第一給水路３１２１の上流端には、Ｏリング３８が嵌め込まれる。第一給水路３１２１の下流端は、中間板３１の周縁部分の下面に開口する。第二給水路３１２２の下流端は、中間板３１の下面の凹部３１６に開口する。
【００５１】
中間板３１の周縁部分には、複数（四つ）の接続孔３１５がさらに形成されている。複数の接続孔３１５は、それぞれ中間板３１を厚み方向に貫通する。
【００５２】
中間板３１の下面には、散水板３５が装着される。散水板３５は、上板１が備える散水板１５と同様の構成を備える部材であり、散水板３５の上面には、多数の突起３５１が形成されている。
【００５３】
中間板３１の下面の凹部３１６は、上板１の凹部１１と同様の構成を備える。凹部３１６の周壁に散水板３５の周縁部が係止することで、中間板３１に対して散水板３５が装着される。
【００５４】
排水路３１３は、中間板３１の周縁部分に貫通形成された第一排水路３１３１と、第一排水路３１３１の途中から分岐し、中間板３１の中心方向にむけて延びる第二排水路３１３２とを含む（図５参照）。
【００５５】
第一排水路３１３１の上流端は、中間板３１の周縁部分の上面に開口する。第一排水路３１３１の上流端には、Ｏリング３９が嵌め込まれる。第一排水路３１３１の下流端は、中間板３１の下面に開口する。第二排水路３１３２の上流端は、中間板３１の凹部３１１に開口する。
【００５６】
中間フィルタ３２は、底部フィルタ２２と同様の構成を備える（図６参照）。
【００５７】
つまり、中間フィルタ３２は、放射性物質等の微粒子を採取可能な濾紙からなるフィルタ３２１と、フィルタ３２１を保持する保持部材３２２とを含む。保持部材３２２は、多数の通水孔を有する円板状の部材である。薄膜状であるフィルタ３２１は、保持部材３２２の上面に支持される。
【００５８】
中間フィルタ３２は、中間板３１の凹部３１１内に配置される。保持部材３２２の周縁部は、凹部３１１の周縁部分３１１２に載置され、周縁部分３１１２によって下方から支持される。保持部材３２２の中央部分は、突起体３１４に載置され、突起体３１４によって下方から支持される。
【００５９】
突起体３１４は、底部突起体２１４と同一の寸法形状を有する。
【００６０】
つまり、突起体３１４は、凹部３１１の中央部に設けられた中央突起部３１４１と、中央突起部３１４１から延びる四つの延長突起部３１４２を含む。
【００６１】
四つの延長突起部３１４２は、平面視において、周方向に等間隔を隔てて放射状に延びる。中央突起部３１４１と四つの延長突起部３１４２の各々が、中間フィルタ３２の保持部材３２２に当接し、保持部材３２２を下方から支持する。
【００６２】
延長突起部３１４２は、その一部分に、下方に凹んだ段部３１４３を有する。段部３１４３は、延長突起部３１４２の他の部分よりも低く、且つ、中央部分３１１１の底面よりも高く位置する。
【００６３】
延長突起部３１４２の段部３１４３を除いた他の部分は、中央突起部３１４１と同一の高さを有する。突起体３１４は、中央突起部３１４１と、各延長突起部３１４２のうち段部３１４３を除いた部分で保持部材３２２に当接する。各延長突起部３１４２の段部３１４３は、保持部材３２２との間にスペースを開けて位置し、このスペースが通水孔として機能する。
【００６４】
突起体３１４においても延長突起部３１４２は四つであるが、延長突起部３１４２は複数であればよい。また、延長突起部３１４２に段部３１４３が複数形成されてもよい。
【００６５】
以上、上板１、底部ユニット２および二つの中間ユニット３の各構成について説明した。
【００６６】
次に、これらを組み立てて構成された本実施形態の積層型濾過装置について、さらに詳しく説明する。
【００６７】
本実施形態の積層型濾過装置は、上板１、底部ユニット２および二つの中間ユニット３を、複数の連結部材４とこれらに結合される複数の結合部材５とを用いて、一体に組み立てた装置である。
【００６８】
複数の連結部材４は、四本の金属製のボルトである。複数の連結部材４のそれぞれにおいて、少なくとも端部の外周面には雄ネジが形成されている。
【００６９】
複数の結合部材５は、複数の連結部材４のそれぞれの端部に結合される合計４個の金属製のナットである。各結合部材５の内周面には、連結部材４の雌ネジに螺合する寸法形状の雌ネジが形成されている。
【００７０】
連結部材４は、上板１、底板２１および二つの中間板３１に対して、一直線状に挿通される。具体的には、複数の連結部材４の一つが、上板１が有する複数の接続孔１３の一つと、底板２１が有する複数の接続孔２１３の一つと、各中間板３１が有する複数の接続孔３１５の一つに対して、一直線状に挿通される。
【００７１】
挿通された連結部材４には、結合部材５が結合される。具体的には、連結部材４のうち上板１から突出する一端部に、一つの結合部材５が螺合される。
【００７２】
上記のように組み立てられた本実施形態の積層型濾過装置では、上板１の下方に中間ユニット３が積層され、この中間ユニット３の下方に別の中間ユニット３が積層され、この中間ユニット３の下方に底板ユニット２が積層される。
【００７３】
以下においては、区別のため、二つの中間ユニット３のうち上方に位置する中間ユニット３を「上側中間ユニット」と称して符号３ａを付す。上側中間ユニット３ａが備える各構成の符号には、末尾にａを付加する。同様に、二つの中間ユニット３のうち下方に位置する中間ユニット３を「下側中間ユニット」と称して符号３ｂを付す。下側中間ユニット３ｂが備える各構成の符号には、末尾にｂを付加する。
【００７４】
本実施形態の積層型濾過装置には、上側濾過室Ｃ１、下側濾過室Ｃ２および中間濾過室Ｃ３が、上下に並んだ位置で形成される。
【００７５】
まず、上側濾過室Ｃ１について説明する。
【００７６】
上側濾過室Ｃ１は、上板１と上側中間ユニット３ａが積層されることで、形成される。
【００７７】
上側濾過室Ｃ１は、上板１が下面に有する凹部１１と、中間板３１ａが上面に有する凹部３１１ａとの間に、形成される。上側濾過室Ｃ１内に、散水板１５と中間フィルタ３２ａが配置される。散水板１５と中間フィルタ３２ａは上下に対向し、互いに平行に位置する。
【００７８】
給水路１２は、散水板１５よりも上方のスペースに連通し、第二給水路１２２の下流端から散水板１５の上面に向けて水を供給する（図３の矢印参照）。供給された水は、散水板１５の多数の突起１５１によって散水される。排水路３１３ａは、中間フィルタ３２ａよりも下方のスペースに連通し、第二排水路３１３２ａを通じて排水を行う（図５の矢印参照）。
【００７９】
中間フィルタ３２ａは、凹部３１１ａの周縁部分３１１２ａと、環状の周縁部分３１１２ａに囲まれて位置する中央の突起体３１４ａとで、下方から支持される。上側濾過室Ｃ１には、上板１の給水路１２を通じて水が高圧で供給され、中間フィルタ３２ａを経て濾過された水は、中間板３１ａの排水路３１３ａを通じて排水される。
【００８０】
次に、下側濾過室Ｃ２について説明する。
【００８１】
下側濾過室Ｃ２は、下側中間ユニット３ｂと底部ユニット２が積層されることで、形成される。
【００８２】
下側濾過室Ｃ２は、下側中間ユニット３ｂの中間板３１ｂが下面に有する凹部３１６ｂと、底板２１が上面に有する凹部２１１との間に、形成される。下側濾過室Ｃ２内に、散水板３５ｂと底部フィルタ２２が配置される。散水板３５ｂと底部フィルタ２２は上下に対向し、互いに平行に位置する。
【００８３】
給水路３１２ｂは、散水板３５ｂよりも上方のスペースに連通し、第二給水路３１２２ｂの下流端から散水板３５ｂの上面に向けて水を供給する（図３の矢印参照）。供給された水は、散水板３５ｂの多数の突起３５１ｂによって散水される。排水路２１２は、底部フィルタ２２よりも下方のスペースに連通し、第二排水路２１２２を通じて排水を行う（図５の矢印参照）。
【００８４】
底部フィルタ２２は、凹部２１１の周縁部分２１１２と、環状の周縁部分２１１２に囲まれて位置する中央の底部突起体２１４とで、下方から支持される。下側濾過室Ｃ２には、中間板３１ｂの給水路３１２ｂを通じて水が高圧で供給され、底部フィルタ２２を経て濾過された水は、底板２１の排水路２１２を通じて排水される。
【００８５】
次に、中間濾過室Ｃ３について説明する。
【００８６】
中間濾過室Ｃ３は、上側中間ユニット３ａと下側中間ユニット３ｂが積層されることで、形成される。
【００８７】
中間濾過室Ｃ３は、上側中間ユニット３ａの中間板３１ａが下面に有する凹部３１６ａと、下側中間ユニット３ｂの中間板３１ｂが上面に有する凹部３１１ｂとの間に、形成される。中間濾過室Ｃ３内に、散水板３５ａと中間フィルタ３２ｂが配置される。散水板３５ａと中間フィルタ３２ｂは上下に対向し、互いに平行に位置する。
【００８８】
給水路３１２ａは、散水板３５ａよりも上方のスペースに連通し、第二給水路３１２２ａの下流端から散水板３５ａの上面に向けて水を供給する（図３の矢印参照）。供給された水は、散水板３５ａの多数の突起３５１ａによって散水される。排水路３１３ｂは、中間フィルタ３２ｂよりも下方のスペースに連通し、第二排水路３１３２ｂを通じて排水を行う（図５の矢印参照）。
【００８９】
中間フィルタ３２ｂは、凹部３１１ｂの周縁部分３１１２ｂと、環状の周縁部分３１１２ｂに囲まれて位置する中央の突起体３１４ｂとで、下方から支持される。中間濾過室Ｃ３には、中間板３１ａの給水路３１２ａを通じて水が高圧で供給され、中間フィルタ３２ｂを経て濾過された水は、中間板３１ｂの排水路３１３ｂを通じて排水される。
【００９０】
本実施形態の積層型濾過装置では、図３に示すように、上板１が有する給水路１２の第一給水路１２１と、上側中間ユニット３ａが有する給水路３１２ａの第一給水路３１２１ａと、下側中間ユニット３ｂが有する給水路３１２ｂの第一給水路３１２１ｂとが、この順で上から下に一直線状に連通する。
【００９１】
第一給水路１２１と第一給水路３１２１ａの間には、Ｏリング３８ａが介在する。第一給水路３１２１ａと第一給水路３１２１ｂの間には、Ｏリング３８ｂが介在する。
【００９２】
給水金具１８を介して給水路１２に高圧で水が供給されると、上側濾過室Ｃ１、下側濾過室Ｃ２および中間濾過室Ｃ３に対して、それぞれ高圧で水が供給される。最初に水を供給する際には、各濾過室内Ｃ１，Ｃ２，Ｃ３に水を満たすために空気弁１９を開放する。
【００９３】
また、本実施形態の積層型濾過装置では、図５に示すように、上側中間ユニット３ａが有する排水路３１３ａの第一排水路３１３１ａと、下側中間ユニット３ｂが有する排水路３１３ｂの第一排水路３１３１ｂと、底板２１が有する排水路２１２の第一排水路２１２１とが、この順で上から下に一直線状に連通する。
【００９４】
第一排水路３１３１ａと第一給水路３１３１ｂの間には、Ｏリング３９ｂが介在する。第一給水路３１３１ｂと第一給水路２１２１の間には、Ｏリング２７が介在する。
【００９５】
上側濾過室Ｃ１、下側濾過室Ｃ２および中間濾過室Ｃ３で濾過された水は、排水金具２８を介して一括的に排出される。
【００９６】
上記のように濾過を行うとき、上側濾過室Ｃ１は、中間フィルタ３２ａを挟んで上側のスペースが給水側の高圧室となり、中間フィルタ３２ａを挟んで下側のスペースが、排水側の低圧室となる。給水側と排水側の差圧により、中間フィルタ３２ａを介して濾過がなされる。
【００９７】
同様に、下側濾過室Ｃ２は、底部フィルタ２２を挟んで上側のスペースが給水側の高圧室となり、底部フィルタ２２を挟んで下側のスペースが排水側の低圧室となり、給水側と排水側の差圧により、底部フィルタ２２を介して濾過がなされる。中間濾過室Ｃ３は、中間フィルタ３２ｂを挟んで上側のスペースが給水側の高圧室となり、中間フィルタ３２ｂを挟んで下側のスペースが排水側の低圧室となり、給水側と排水側の差圧により、中間フィルタ３２ｂを介して濾過がなされる。
【００９８】
上側濾過室Ｃ１では、中間フィルタ３２ａの中央部分が、十字型の突起体３１４ａ（中央突起部３１４１ａと複数の延長突起部３１４２ａ）によって支持される。同様に、下側濾過室Ｃ２では、底部フィルタ２２の中央部分が、十字型の底部突起体２１４（中央突起部２１４１と複数の延長突起部２１４２）によって支持される。中間濾過室Ｃ３では、中間フィルタ３２ｂの中央部分が、十字型の突起体３１４ｂ（中央突起部３１４１ｂと複数の延長突起部３１４２ｂ）によって支持される。
【００９９】
本実施形態の積層型濾過装置において、上側濾過室Ｃ１と中間濾過室Ｃ３は、上側中間ユニット３ａの中間板３１ａによって上下に仕切られる。中間板３１ａを挟んで上側に、上側濾過室Ｃ１の排水側の低圧室が位置する。中間板３１ａを挟んで下側に、中間濾過室Ｃ３の給水側の高圧室が位置する。そのため、中間板３１ａには、高圧室と低圧室の間の差圧が作用する。
【０１００】
これに対して、中間板３１ａの中央部分（突起体３１４ａが位置する部分）においては、突起体３１４ａが中間フィルタ３２ａを支持することから、高圧室と低圧室の間の差圧が作用しない。中間板３１ａの中央部分では、上側濾過室Ｃ１の給水側の高圧室と、中間濾過室Ｃ３の給水側の高圧室が、突起体３１４ａを含む中間板３１ａとこれに支持される中間フィルタ３２ａを挟んで、互いに反対側に位置する。
【０１０１】
したがって、中間板３１ａのうち突起体３１４ａが形成される部分には、高圧室と低圧室の間の差圧が作用しない。加えて、十字状の突起体３１４ａは、中間板３１ａの中央部分の強度を向上させ、中間板３１ａ全体を高強度化する。そのため、中間板３１ａの全体の厚みを抑えても差圧に耐えることが可能となり、中間板３１ａのコンパクト化および軽量化が実現される。
【０１０２】
仮に、突起体３１４ａが存在しない場合には、中間板３１ａの略全域に亘って大きな差圧が作用するので、これに耐えるために中間板３１ａの全体を肉厚に形成する必要があり、延いては装置全体の大型化および高重量化をまねく。
【０１０３】
なお、突起体３１４ａは十字状であり、且つ、延長突起部３１４２ａの一部分に段部３１４３ａを有するので、突起体３１４ａによって水の流れが阻害されることは防止される。
【０１０４】
同様に、中間濾過室Ｃ３と下側濾過室Ｃ２は、下側中間ユニット３ｂの中間板３１ｂによって上下に仕切られる。中間板３１ｂを挟んで上側に、中間濾過室Ｃ３の排水側の低圧室が位置し、中間板３１ｂを挟んで下側に、下側濾過室Ｃ２の給水側の高圧室が位置する。そのため、中間板３１ｂには、高圧室と低圧室の間の差圧が作用する。
【０１０５】
これに対して、中間板３１ｂの中央部分においても、突起体３１４ｂが中間フィルタ３２ｂを支持することから、高圧室と低圧室の間の差圧が作用しない。中間板３１ｂの中央部分では、中間濾過室Ｃ３の給水側の高圧室と、下側濾過室Ｃ２の給水側の高圧室が、突起体３１４ｂを含む中間板３１ｂと中間フィルタ３２ｂを挟んで、互いに反対側に位置する。
【０１０６】
加えて、十字状の突起体３１４ｂは、中間板３１ｂの強度を高める。そのため、中間板３１ｂの全体の厚みを抑えても差圧に耐えることができ、中間板３１ｂのコンパクト化および軽量化が実現される。突起体３１４ｂは十字状であり、延長突起部３１４２ｂの一部分に段部３１４３ｂを有するので、突起体３１４ｂによって水の流れが阻害されることは防止される。
【０１０７】
また、下側濾過室Ｃ２と外部空間は、底部ユニット２の底板２１によって上下に仕切られる。底板２１には、下側濾過室Ｃ２と外部空間の間の差圧が作用する。
【０１０８】
これに対して、底板２１の中央部分に十字状の底部突起体２１４が位置することで、底部突起体２１４によって底部フィルタ２２の中央部分が支持されるとともに、底板２１の強度が高められる。そのため、底板２１の厚みを抑えることが可能となり、延いては装置全体のコンパクト化および軽量化が実現される。底部突起体２１４は十字状であり、その一部分に段部２１４３を有するので、突起体２１４によって水の流れが阻害されることは防止される。
【０１０９】
また、本実施形態の積層型濾過装置では、複数の突起体３１４ａ，３１４ｂ，２１４同士を、平面視において互いに重なる寸法形状で配置している。
【０１１０】
これにより、本実施形態の積層型濾過装置のうち複数の突起体３１４ａ，３１４ｂ，２１４が位置する中央部分では、上板１と底板２１の間に排水側の低圧室が介在せず、中間板３１ａ，３１ｂとフィルタ３２ａ，３２ｂを介して、給水側の高圧室同士が上下に積層された構造となっている。
【０１１１】
なお、これら複数の突起体３１４ａ，３１４ｂ，２１４の形状や配置は、本実施形態の形状や配置に限定されるものではない。複数の突起体３１４ａ，３１４ｂ，２１４の一部または全部を、本実施形態とは異なる形状や配置にすることや、複数の突起体３１４ａ，３１４ｂ，２１４を互いに異なる形状や配置にすることも可能である。
【０１１２】
ところで、上板１、底板２１および中間板３１ａ，３１ｂは、樹脂を用いて透明または半透明に成形されていることが好ましい。各板１，２１，３１ａ，３１ｂが透明または半透明であると、各濾過室Ｃ１，Ｃ２，Ｃ３内の状況を外部から容易に視認することができる。
【０１１３】
特に屋外での調査では、ある地点で濾過を行っている間にその場を離れることが多く、戻ってきた際に各濾過室Ｃ１，Ｃ２，Ｃ３内の状況（異物混入の有無、濾過が正常に進行しているか否か、等）を速やかに確認できるという利点がある。
【０１１４】
図８には、本実施形態の積層型濾過装置の変形例を示している。
【０１１５】
この変形例は、上板１と底部ユニット２の間に多数の中間ユニット３を介在させた例であり、図１〜図７に示す上側中間ユニット３ａや下側中間ユニット３ｂと同様の構成を備える中間ユニット３を、都合９個上下に積層させている。
【０１１６】
上板１と、最も上方に位置する中間ユニット３との間には、上側濾過室Ｃ１が形成される。底板ユニット２と、最も下方に位置する中間ユニット３との間には、下側濾過室Ｃ２が形成される。
【０１１７】
上下に隣接する中間ユニット３間には、中間濾過室Ｃ３が形成される。中間濾過室Ｃ３は、上下に積層される中間ユニット３の数よりも一つ少なく形成される。この変形例では、都合９つ積層される中間ユニット３の間に、８つの中間濾過室Ｃ３が形成される。
【０１１８】
この変形例においても、給水金具１８を通じて水を供給することで、上側濾過室Ｃ１と、下側濾過室Ｃ２と、両濾過室Ｃ１，Ｃ２間に形成される多数の中間濾過室Ｃ３のそれぞれにおいて、水の濾過が行われる。
【０１１９】
中間ユニット３の数は、適宜に選択可能である。中間ユニット３を一つだけ備えた場合には、上側濾過室Ｃ１と下側濾過室Ｃ２だけが形成される。
【０１２０】
変形例のように多数の中間ユニット３をセットした場合は、フィルタ交換を要することなく大量の水を長時間に亘って濾過することができる。特に屋外での調査においては、ある地点に装置をセットした後に、そのまま放置して別の箇所の調査を行うことができるという利点がある。
【０１２１】
また、上板１と底部ユニット２の間に中間ユニット３を介在させずに用いることも可能である。この場合、上板１の凹部１１と底板２１の凹部２１１の間に一つの濾過室が形成され、上板１の給水路１２を通じて該濾過室に導入された水が底部フィルタ２２で濾過され、濾過された水が底板２１の排水路２１２を通じて排水される。
【０１２２】
その他、第一給水路１２１や排水路２１２の構造変更等により、たとえば複数回フィルタを通過させる構造に変更することも可能である。
【０１２３】
以上、添付図面に基づいて説明したように、本実施形態の積層型濾過装置は第一の特徴として、給水路１２を有する上板１と、上板１の下方に配置される底部ユニット２と、上板１と底部ユニット２の間に配置される少なくとも一つの中間ユニット３とを具備する。
【０１２４】
底部ユニット２は、排水路２１２を有する底板２１と、底板２１の上方に配置される底部フィルタ２２とを含む。
【０１２５】
少なくとも一つの中間ユニット３は、給水路３１２、排水路３１３および突起体３１４を有する中間板３１と、中間板３１の上方に配置される中間フィルタ３２とを含む。中間フィルタ３２の中央部分が、突起体３１４に支持される。
【０１２６】
したがって、本実施形態の積層型濾過装置では、上板１とこれの下方に位置する中間ユニット３の間に、中間フィルタ３２の位置する上側濾過室Ｃ１が形成される。上側濾過室Ｃ１には、上板１の給水路１２を通じて給水され、中間フィルタ３２で濾過された水は、中間ユニット３の排水路３１３を通じて排水される。
【０１２７】
底部ユニット２とこれの上方に位置する中間ユニット３の間には、底部フィルタ２２の位置する下側濾過室Ｃ２が形成される。下側濾過室Ｃ２には、中間ユニット３の給水路３１２を通じて給水され、底部フィルタ２２で濾過された水は、底部ユニット２の排水路２１２を通じて排水される。
【０１２８】
中間ユニット３の数が２以上である場合には、上下に隣接する中間ユニット３間に、中間フィルタ３２の位置する中間濾過室Ｃ３が形成される。中間濾過室Ｃ３には、上側の中間ユニット３の給水路３１２を通じて給水され、中間フィルタ３２で濾過された水は、下側の中間ユニット３の排水路３１３を通じて排水される。
【０１２９】
そして、本実施形態の積層型濾過装置では、中間ユニット３の中間板３１が突起体３１４を有し、突起体３１４が中間フィルタ３２の中央部分を支持するので、中間板３１を挟んで上側の低圧室と下側の高圧室との間の差圧が、中間板３１に作用することが抑えられる。加えて、突起体３１４によって中間板３１の強度が高められる。
【０１３０】
そのため、本実施形態の積層型濾過装置によれば、中間板３１の厚みを抑えることができ、装置全体がコンパクト化および軽量化されるので、屋外の多様な箇所に持ち運び、その箇所で大量の水を長時間に亘って濾過することが可能となる。
【０１３１】
加えて、本実施形態の積層型濾過装置は第二の特徴として、下記の構成を具備する。
【０１３２】
つまり、本実施形態の積層型濾過装置において、突起体３１４は、中間板３１の中央部に設けられた中央突起部３１４１と、中央突起部３１４１から放射状に延びる複数の延長突起部３１４２とを含む。中央突起部３１４１と複数の延長突起部３１４２が、中間フィルタ３２に当接する。
【０１３３】
そのため、本実施形態の積層型濾過装置によれば、中間フィルタ３２を通じて濾過された後の水の流路（排水側の低圧室での流路）を確保しながら、突起体３１４によって中間板３１の全体を補強し、中間板３１のさらなる薄型化に寄与することができる。
【０１３４】
加えて、本実施形態の積層型濾過装置は第三の特徴として、下記の構成を具備する。
【０１３５】
つまり、本実施形態の積層型濾過装置において、複数の延長突起部３１４２は、その一部分に、他の部分よりも下方に凹んだ段部３１４３を有する。
【０１３６】
そのため、本実施形態の積層型濾過装置によれば、段部３１４３と中間フィルタ３２の間に通水孔が形成され、中間フィルタ３２を通じて濾過された後の水の流路（排水側の低圧室での流路）が一層確保される。
【０１３７】
加えて、本実施形態の積層型濾過装置は第四の特徴として、下記の構成を具備する。
【０１３８】
つまり、本実施形態の積層型濾過装置においては、底板２１が、底部突起体２１４をさらに有する。底部フィルタ２２の中央部分が、底部突起体２１４に支持される。
【０１３９】
そのため、本実施形態の積層型濾過装置によれば、底部突起体２１４によって底部フィルタ２２の中央部分が支持されるとともに、底板２１の強度が高められるので、底板２１の厚みを抑えることが可能となり、装置全体の一層のコンパクト化および軽量化が実現される。
【０１４０】
加えて、本実施形態の積層型濾過装置は第五の特徴として、下記の構成を具備する。
【０１４１】
つまり、本実施形態の積層型濾過装置において、上板１、底板２１および中間板３１は、透明または半透明である。
【０１４２】
そのため、本実施形態の積層型濾過装置によれば、透明または半透明の上板１、底板２１および中間板３１を通じて、上側濾過室Ｃ１，下側濾過室Ｃ２等の状況を外部から容易に視認することが可能となる。
【０１４３】
以上、実施形態について説明したが、積層型濾過装置は上記した実施形態に限定されず、適宜の設計変更を行うことが可能である。
【符号の説明】
【０１４４】
１        上板
１２      給水路
２        底部ユニット
２１      底板
２１２    排水路
２１４    底部突起体
２２      底部フィルタ
３        中間ユニット
３１      中間板
３１２    給水路
３１３    排水路
３１４    突起体
３１４１  中央突起部
３１４２  延長突起部
３１４３  段部
３２      中間フィルタ
Ｃ１      上側濾過室
Ｃ２      下側濾過室
Ｃ３      中間濾過室
【図１】
2017113695.tif 000003
【図２】
2017113695.tif 000004
【図３】
2017113695.tif 000005
【図４】
2017113695.tif 000006
【図５】
2017113695.tif 000007
【図６】
2017113695.tif 000008
【図７】
2017113695.tif 000009
【図８】
2017113695.tif 000010